(57)【特許請求の範囲】
【請求項１】
非接触通信によりデータを書き込み可能なＩＣチップとスタンプを押印可能な印面とを有する記録媒体の当該印面に対してスタンプを押印するスタンプ装置を備え、前記スタンプ装置が拠点に設置されるようにしたスタンプシステムであって、
前記スタンプ装置は、
自己が設置される拠点を示す拠点データを記憶する記憶部と、
前記記録媒体の印面に対してスタンプを押印するための印版部と、
前記スタンプが押印される際に、通信可能範囲内に入った前記記録媒体のＩＣチップを検知し、当該ＩＣチップに対して前記拠点データを非接触通信により送信する送信部と、
前記記録媒体のＩＣチップが検知された際に、当該ＩＣチップに書き込まれているデータを当該ＩＣチップから非接触通信により取得する取得部と、
前記取得されたデータに基づいてエラー判断を行うエラー判断部と、
前記記録媒体の印面に対してエラーマークを押印するためのエラーマーク印版部と、
前記エラー判断部によりエラーであると判断された場合に、前記エラーマーク印版部を前記記録媒体の印面方向に移動させることにより、当該印面に対してエラーマークを押印させる制御部と、
を備えることを特徴とするスタンプシステム。
【請求項２】
非接触通信によりデータを書き込み可能なＩＣチップとスタンプを押印可能な印面とを有する記録媒体の当該印面に対してスタンプを押印するスタンプ装置を備え、前記スタンプ装置が拠点に設置されるようにしたスタンプシステムであって、
前記スタンプ装置は、
自己が設置される拠点を示す拠点データを記憶する記憶部と、
前記記録媒体の印面に対してスタンプを押印するための印版部と、
前記スタンプが押印される際に、通信可能範囲内に入った前記記録媒体のＩＣチップを検知し、当該ＩＣチップに対して前記拠点データを非接触通信により送信する送信部と、
前記記録媒体のＩＣチップが検知された際に、当該ＩＣチップに書き込まれているデータを当該ＩＣチップから非接触通信により取得する取得部と、
前記取得されたデータに基づいてエラー判断を行うエラー判断部と、
前記スタンプの押印を阻止する押印阻止部と、
前記エラー判断部によりエラーであると判断された場合に、前記押印阻止部を前記記録媒体の印面方向に移動させることにより、前記スタンプの押印を阻止させる制御部と、
を備えることを特徴とするスタンプシステム。
【請求項３】
請求項１又は２に記載のスタンプシステムにおいて、
前記取得部は、前記記録媒体のＩＣチップが検知された際に、当該ＩＣチップに書き込まれている当該ＩＣチップの識別データ及び認証コードを当該ＩＣチップから非接触通信により取得し、
前記エラー判断部は、前記取得された識別データと、予め記憶されたハッシュ関数とを用いて認証コードを算出し、当該算出された認証コードと、前記取得された認証コードが一致するか否かによりエラー判断を行い、
前記スタンプ装置は、前記エラー判断部によりエラーであると判断された場合には、エラー出力を行うエラー出力部を更に備えることを特徴とするスタンプシステム。
【請求項４】
請求項１乃至３の何れか一項に記載のスタンプシステムにおいて、
前記取得部は、前記記録媒体のＩＣチップが検知された際に、当該ＩＣチップに書き込まれている基準日を示す情報を当該ＩＣチップから非接触通信により取得し、
前記エラー判断部は、前記取得された基準日と、予め記憶された有効期限とを用いて有効期限の条件を満たすか否かによりエラー判断を行い、
前記スタンプ装置は、前記エラー判断部によりエラーであると判断された場合には、エラー出力を行うエラー出力部を更に備えることを特徴とするスタンプシステム。
【請求項５】
請求項１乃至４の何れか一項に記載のスタンプシステムにおいて、
前記送信部は、前記エラー判断部によりエラーでないと判断された場合にのみ、前記ＩＣチップに対して当該拠点データを非接触通信により送信することを特徴とするスタンプシステム。
【請求項６】
請求項１乃至５の何れか一項に記載のスタンプシステムにおいて、
前記スタンプ装置は、スタンプラリーが行われる複数の異なる拠点に設置されることを特徴とするスタンプシステム。
【請求項７】
前記スタンプシステムは、前記記録媒体の所有者に対してコンテンツ情報を提示する提示装置であって前記スタンプ装置と通信可能な提示装置を備え、
前記取得部は、前記記録媒体のＩＣチップが検知された際に、当該記録媒体の所有者の属性情報を当該ＩＣチップから非接触通信により取得し、
前記スタンプ装置は、前記取得した属性情報を前記提示装置に送信する送信部を更に備え、
前記提示装置は、前記スタンプ装置からの属性情報に応じたコンテンツ情報を前記所有者に提示することを特徴とする請求項１乃至６の何れか一項に記載のスタンプシステム。
【請求項８】
請求項７に記載のスタンプシステムにおいて、
前記属性情報は、前記所有者の年代、性別、及び言語の少なくとも何れか一つを含むことを特徴とするスタンプシステム。
【請求項９】
前記スタンプシステムは、前記記録媒体の所有者に対してコンテンツ情報を提示する提示装置であって前記スタンプ装置と通信可能な提示装置を備え、
前記取得部は、前記記録媒体のＩＣチップが検知された際に、前記ＩＣチップに既に書き込まれている前記拠点データを取得し、
前記スタンプ装置は、前記取得した拠点データを前記提示装置に送信する送信部を更に備え、
前記提示装置は、前記スタンプ装置からの拠点データに基づく獲得スタンプ情報に応じたコンテンツ情報を前記所有者に提示することを特徴とする請求項１乃至６の何れか一項に記載のスタンプシステム。
【請求項１０】
請求項１乃至９の何れか一項に記載のスタンプシステムが備えるスタンプ装置によってスタンプが押印される際に、前記スタンプ装置が備える送信部によって前記拠点データが送信されたＩＣチップと前記スタンプが押印された印面とを有する記録媒体における前記ＩＣチップに、前記送信部によって送信されることにより書き込まれた前記拠点データを取得する取得手段と、
前記取得された拠点データに基づいて、当該記録媒体の所有者に対して所定の権利を与えるか否かを決定する決定手段と、
を備えることを特徴とする情報処理装置。
【請求項１１】
請求項１０に記載の情報処理装置において、
前記決定手段は、前記取得された拠点データに、予め定められた必須拠点の拠点データが含まれている場合に、当該記録媒体の所有者に対して前記所定の権利を与えることを決定することを特徴とする情報処理装置。
【請求項１２】
請求項１０に記載の情報処理装置において、
前記決定手段は、前記取得された拠点データに、予め定められた拠点数分の拠点データが含まれている場合に、当該記録媒体の所有者に対して前記所定の権利を与えることを決定することを特徴とする情報処理装置。
【請求項１３】
請求項１０乃至１２の何れか一項に記載の情報処理装置において、
前記所定の権利を与えることが決定された場合に、その情報は、前記ＩＣチップの識別データに対応付けられて、データベース又は前記ＩＣチップに書き込まれることを特徴とする情報処理装置。
【請求項１４】
請求項１０乃至１３の何れか一項に記載の情報処理装置において、
前記決定手段は、最初の拠点において前記ＩＣチップに前記拠点データが書き込まれた時刻から、最後の拠点において前記ＩＣチップに前記拠点データが書き込まれた時刻までの時間に応じて与える権利の内容を異ならしめることを特徴とする情報処理装置。
【請求項１５】
請求項１０乃至１４の何れか一項に記載の情報処理装置において、
前記所定の権利は、景品が得られる権利であることを特徴とする情報処理装置。
【請求項１６】
請求項１０乃至１４の何れか一項に記載の情報処理装置において、
前記所定の権利は、抽選ができる権利であることを特徴とする情報処理装置。
【請求項１７】
請求項１６に記載の情報処理装置において、
前記取得されたデータに含まれる拠点データに応じて抽選確率が異なることを特徴とする情報処理装置。
【請求項１８】
請求項１０乃至１７の何れか一項に記載の情報処理装置において、
前記記録媒体の発行の際に、前記所有者が使用する媒体に格納された識別データを取得し前記記録媒体における前記ＩＣチップに書き込ませる手段を備え、
前記拠点が前記所有者によりまわられた後に、前記取得手段は、前記所有者が使用する媒体に格納された当該媒体の識別データを取得すると共に、前記記録媒体における前記ＩＣチップに書き込まれた前記識別データを取得し、
前記取得された双方の識別データが互いに一致するか否かを判別する判別手段を更に備え、
前記決定手段は、双方の前記識別データが一致すると判別された場合に、前記記録媒体の所有者に対して所定の権利を与えるか否かを決定することを特徴とする情報処理装置。
【請求項１９】
請求項１０乃至１７の何れか一項に記載の情報処理装置において、
前記記録媒体の発行の際に、前記所有者が使用する媒体に格納された識別データを取得しデータベースに記憶する手段を備え、
前記拠点が前記所有者によりまわられた後に、前記取得手段は、前記所有者が使用する媒体に格納された当該媒体の識別データを取得すると共に、前記データベースに記憶された前記識別データを取得し、
前記取得された双方の識別データが互いに一致するか否かを判別する判別手段を更に備え、
前記決定手段は、双方の前記識別データが一致すると判別された場合に、前記記録媒体の所有者に対して所定の権利を与えるか否かを決定することを特徴とする情報処理装置。
【請求項２０】
請求項１乃至９の何れか一項に記載のスタンプシステムが備えるスタンプ装置によってスタンプが押印される際に、前記スタンプ装置が備える送信部によって前記拠点データが送信されたＩＣチップと前記スタンプが押印された印面とを有する記録媒体における前記ＩＣチップに、前記送信部によって送信されることにより書き込まれた前記拠点データを取得する工程と、
前記取得されたデータに基づいて、当該記録媒体の所有者に対して所定の権利を与えるか否かを決定する工程と、
を含むことを特徴とする情報処理方法。
【請求項２１】
コンピュータを、
請求項１乃至９の何れか一項に記載のスタンプシステムが備えるスタンプ装置によってスタンプが押印される際に、前記スタンプ装置が備える送信部によって前記拠点データが送信されたＩＣチップと前記スタンプが押印された印面とを有する記録媒体における前記ＩＣチップに、前記送信部によって送信されることにより書き込まれた前記拠点データを取得する取得手段、及び、
前記取得されたデータに基づいて、当該記録媒体の所有者に対して所定の権利を与えるか否かを決定する決定手段として機能させることを特徴とする情報処理プログラム。
【発明の詳細な説明】
【技術分野】
【０００１】
本発明は、例えばスタンプラリーに用いられるスタンプ装置等の技術分野に関する。
【背景技術】
【０００２】
従来から、展覧会やテーマパーク等の複数の拠点において利用者がスタンプをスタンプ用台紙に押印していくスタンプラリーが知られている。かかるスタンプラリーでは、例えば基準数のスタンプがスタンプ用台紙に押印されると、景品と交換できるようになっている。
【０００３】
一方、特許文献１には、従来のスタンプラリーにおける、スタンプ用台紙の準備やスタンプを設置する場所の選定などの問題点を解決するために、携帯電話を用いたスタンプラリーシステムが提案されている。かかるスタンプラリーシステムでは、ある時刻における携帯電話の位置を証明するスタンプを発行することにより、スタンプラリー主催者がスタンプ用台紙やスタンプを設置する場所などを準備することなくスタンプラリーを遂行することが可能になっている。
【特許文献１】特開２００４−１３９１９３号公報
【発明の開示】
【発明が解決しようとする課題】
【０００４】
しかしながら、特許文献１に開示されるような携帯電話を用いたスタンプラリーシステムでは、利用者が制限されてしまい、また、物がもつ“思い出”的な要素が無く利用者にとってコレクション欲を満たさないなどといった問題がある。この点、スタンプをスタンプ用台紙に押印していく従来のスタンプラリーが優れているものの、かかるスタンプラリーでは、認証が困難なため、利用者は複数のスタンプ用台紙を入手し、各スタンプ用台紙に同じスタンプを押印することで、複数回に亘り景品と交換したり、スタンプが押印されたスタンプ用台紙をオークションで転売するなどの問題がある。
【０００５】
そこで、本発明は、このような問題等に鑑みてなされたものであり、従来のスタンプラリーの利点を生かしつつ、認証や、後のチェック等を容易に行うことを可能としたスタンプシステム、情報処理装置、情報処理方法、及び情報処理プログラムを提供することを課題とする。
【課題を解決するための手段】
【０００６】
上記課題を解決するために、請求項１に記載の発明は、非接触通信によりデータを書き込み可能なＩＣチップとスタンプを押印可能な印面とを有する記録媒体の当該印面に対してスタンプを押印するスタンプ装置を備え、前記スタンプ装置が拠点に設置されるようにしたスタンプシステムであって、前記スタンプ装置は、自己が設置される拠点を示す拠点データを記憶する記憶部と、前記記録媒体の印面に対してスタンプを押印するための印版部と、前記スタンプが押印される際に、通信可能範囲内に入った前記記録媒体のＩＣチップを検知し、当該ＩＣチップに対して前記拠点データを非接触通信により送信する送信部と、前記記録媒体のＩＣチップが検知された際に、当該ＩＣチップに書き込まれているデータを当該ＩＣチップから非接触通信により取得する取得部と、前記取得されたデータに基づいてエラー判断を行うエラー判断部と、前記記録媒体の印面に対してエラーマークを押印するためのエラーマーク印版部と、前記エラー判断部によりエラーであると判断された場合に、前記エラーマーク印版部を前記記録媒体の印面方向に移動させることにより、当該印面に対してエラーマークを押印させる制御部と、を備えることを特徴とする。
【０００７】
請求項２に記載の発明は、非接触通信によりデータを書き込み可能なＩＣチップとスタンプを押印可能な印面とを有する記録媒体の当該印面に対してスタンプを押印するスタンプ装置を備え、前記スタンプ装置が拠点に設置されるようにしたスタンプシステムであって、前記スタンプ装置は、自己が設置される拠点を示す拠点データを記憶する記憶部と、前記記録媒体の印面に対してスタンプを押印するための印版部と、前記スタンプが押印される際に、通信可能範囲内に入った前記記録媒体のＩＣチップを検知し、当該ＩＣチップに対して前記拠点データを非接触通信により送信する送信部と、前記記録媒体のＩＣチップが検知された際に、当該ＩＣチップに書き込まれているデータを当該ＩＣチップから非接触通信により取得する取得部と、前記取得されたデータに基づいてエラー判断を行うエラー判断部と、前記スタンプの押印を阻止する押印阻止部と、前記エラー判断部によりエラーであると判断された場合に、前記押印阻止部を前記記録媒体の印面方向に移動させることにより、前記スタンプの押印を阻止させる制御部と、を備えることを特徴とする。
【０００８】
請求項３に記載の発明は、請求項１又は２に記載のスタンプシステムにおいて、前記取得部は、前記記録媒体のＩＣチップが検知された際に、当該ＩＣチップに書き込まれている当該ＩＣチップの識別データ及び認証コードを当該ＩＣチップから非接触通信により取得し、前記エラー判断部は、前記取得された識別データと、予め記憶されたハッシュ関数とを用いて認証コードを算出し、当該算出された認証コードと、前記取得された認証コードが一致するか否かによりエラー判断を行い、前記スタンプ装置は、前記エラー判断部によりエラーであると判断された場合には、エラー出力を行うエラー出力部を更に備えることを特徴とする。
【０００９】
請求項４に記載の発明は、請求項１乃至３の何れか一項に記載のスタンプシステムにおいて、前記取得部は、前記記録媒体のＩＣチップが検知された際に、当該ＩＣチップに書き込まれている基準日を示す情報を当該ＩＣチップから非接触通信により取得し、前記エラー判断部は、前記取得された基準日と、予め記憶された有効期限とを用いて有効期限の条件を満たすか否かによりエラー判断を行い、前記スタンプ装置は、前記エラー判断部によりエラーであると判断された場合には、エラー出力を行うエラー出力部を更に備えることを特徴とする。
【００１０】
請求項５に記載の発明は、請求項１乃至４の何れか一項に記載のスタンプシステムにおいて、前記送信部は、前記エラー判断部によりエラーでないと判断された場合にのみ、前記ＩＣチップに対して当該拠点データを非接触通信により送信することを特徴とする。
【００１１】
請求項６に記載の発明は、請求項１乃至５の何れか一項に記載のスタンプシステムにおいて、前記スタンプ装置は、スタンプラリーが行われる複数の異なる拠点に設置されることを特徴とする。
【００１２】
請求項７に記載の発明は、請求項１乃至６の何れか一項に記載のスタンプシステムにおいて、前記スタンプシステムは、前記記録媒体の所有者に対してコンテンツ情報を提示する提示装置であって前記スタンプ装置と通信可能な提示装置を備え、前記取得部は、前記記録媒体のＩＣチップが検知された際に、当該記録媒体の所有者の属性情報を当該ＩＣチップから非接触通信により取得し、前記スタンプ装置は、前記取得した属性情報を前記提示装置に送信する送信部を更に備え、前記提示装置は、前記スタンプ装置からの属性情報に応じたコンテンツ情報を前記所有者に提示することを特徴とする。
【００１３】
請求項８に記載の発明は、請求項７に記載のスタンプシステムにおいて、前記属性情報は、前記所有者の年代、性別、及び言語の少なくとも何れか一つを含むことを特徴とする。
【００１４】
請求項９に記載の発明は、請求項１乃至６の何れか一項に記載のスタンプシステムにおいて、前記スタンプシステムは、前記記録媒体の所有者に対してコンテンツ情報を提示する提示装置であって前記スタンプ装置と通信可能な提示装置を備え、前記取得部は、前記記録媒体のＩＣチップが検知された際に、前記ＩＣチップに既に書き込まれている前記拠点データを取得し、前記スタンプ装置は、前記取得した拠点データを前記提示装置に送信する送信部を更に備え、前記提示装置は、前記スタンプ装置からの拠点データに基づく獲得スタンプ情報に応じたコンテンツ情報を前記所有者に提示することを特徴とする。
【００１５】
請求項１０に記載の発明は、請求項１乃至９の何れか一項に記載のスタンプシステムが備えるスタンプ装置によってスタンプが押印される際に、前記スタンプ装置が備える送信部によって前記拠点データが送信されたＩＣチップと前記スタンプが押印された印面とを有する記録媒体における前記ＩＣチップに、前記送信部によって送信されることにより書き込まれた前記拠点データを取得する取得手段と、前記取得された拠点データに基づいて、当該記録媒体の所有者に対して所定の権利を与えるか否かを決定する決定手段と、を備えることを特徴とする。
【００１６】
請求項１１に記載の発明は、請求項１０に記載の情報処理装置において、前記決定手段は、前記取得された拠点データに、予め定められた必須拠点の拠点データが含まれている場合に、当該記録媒体の所有者に対して前記所定の権利を与えることを決定することを特徴とする。
【００１７】
請求項１２に記載の発明は、請求項１０に記載の情報処理装置において、前記決定手段は、前記取得された拠点データに、予め定められた拠点数分の拠点データが含まれている場合に、当該記録媒体の所有者に対して前記所定の権利を与えることを決定することを特徴とする。
【００１８】
請求項１３に記載の発明は、請求項１０乃至１２の何れか一項に記載の情報処理装置において、前記所定の権利を与えることが決定された場合に、その情報は、前記ＩＣチップの識別データに対応付けられて、データベース又は前記ＩＣチップに書き込まれることを特徴とする。
【００１９】
請求項１４に記載の発明は、請求項１０乃至１３の何れか一項に記載の情報処理装置において、前記決定手段は、最初の拠点において前記ＩＣチップに前記拠点データが書き込まれた時刻から、最後の拠点において前記ＩＣチップに前記拠点データが書き込まれた時刻までの時間に応じて与える権利の内容を異ならしめることを特徴とする。
【００２０】
請求項１５に記載の発明は、請求項１０乃至１４の何れか一項に記載の情報処理装置において、前記所定の権利は、景品が得られる権利であることを特徴とする。
【００２１】
請求項１６に記載の発明は、請求項１０乃至１４の何れか一項に記載の情報処理装置において、前記所定の権利は、抽選ができる権利であることを特徴とする。
【００２２】
請求項１７に記載の発明は、請求項１６に記載の情報処理装置において、前記取得されたデータに含まれる拠点データに応じて抽選確率が異なるを特徴とする。
【００２３】
請求項１８に記載の発明は、請求項１０乃至１７の何れか一項に記載の情報処理装置において、前記記録媒体の発行の際に、前記所有者が使用する媒体に格納された識別データを取得し前記記録媒体における前記ＩＣチップに書き込ませる手段を備え、前記拠点が前記所有者によりまわられた後に、前記取得手段は、前記所有者が使用する媒体に格納された当該媒体の識別データを取得すると共に、前記記録媒体における前記ＩＣチップに書き込まれた前記識別データを取得し、前記取得された双方の識別データが互いに一致するか否かを判別する判別手段を更に備え、前記決定手段は、双方の前記識別データが一致すると判別された場合に、前記記録媒体の所有者に対して所定の権利を与えるか否かを決定することを特徴とする。
【００２４】
請求項１９に記載の発明は、請求項１０乃至１７の何れか一項に記載の情報処理装置において、前記記録媒体の発行の際に、前記所有者が使用する媒体に格納された識別データを取得しデータベースに記憶する手段を備え、前記拠点が前記所有者によりまわられた後に、前記取得手段は、前記所有者が使用する媒体に格納された当該媒体の識別データを取得すると共に、前記データベースに記憶された前記識別データを取得し、前記取得された双方の識別データが互いに一致するか否かを判別する判別手段を更に備え、前記決定手段は、双方の前記識別データが一致すると判別された場合に、前記記録媒体の所有者に対して所定の権利を与えるか否かを決定することを特徴とする。
【００２５】
請求項２０に記載の発明は、請求項１乃至９の何れか一項に記載のスタンプシステムが備えるスタンプ装置によってスタンプが押印される際に、前記スタンプ装置が備える送信部によって前記拠点データが送信されたＩＣチップと前記スタンプが押印された印面とを有する記録媒体における前記ＩＣチップに、前記送信部によって送信されることにより書き込まれた前記拠点データを取得する工程と、前記取得されたデータに基づいて、当該記録媒体の所有者に対して所定の権利を与えるか否かを決定する工程と、を含むことを特徴とすることを特徴とする。
【００２６】
請求項２１に記載の情報処理プログラムの発明は、コンピュータを、請求項１乃至９の何れか一項に記載のスタンプシステムが備えるスタンプ装置によってスタンプが押印される際に、前記スタンプ装置が備える送信部によって前記拠点データが送信されたＩＣチップと前記スタンプが押印された印面とを有する記録媒体における前記ＩＣチップに、前記送信部によって送信されることにより書き込まれた前記拠点データを取得する取得手段、及び、前記取得されたデータに基づいて、当該記録媒体の所有者に対して所定の権利を与えるか否かを決定する決定手段として機能させることを特徴とする。
【発明の効果】
【００３０】
本発明によれば、夫々のスタンプ装置が複数の異なる拠点に設置されるようにしたスタンプシステムにおける各スタンプ装置は、自己が設置される拠点を示す拠点データを予め記憶しておき、記録媒体の印面に対してスタンプが押印される際に、通信可能範囲内に入った記録媒体のＩＣチップを検知し、当該ＩＣチップに対して拠点データを非接触通信により送信するように構成したので、物がもつ“思い出”的な要素が有り利用者にとってコレクション欲を満たさすというスタンプラリーの利点を生かしつつ、認証や、後のチェック等を容易に行うことができる。
【発明を実施するための最良の形態】
【００３１】
以下、本発明を実施するための最良の実施形態について、図面に基づいて説明する。
【００３２】
（第一実施形態）
本発明の第一実施形態に係るスタンプシステムは、例えばスタンプラリーに用いられる。
【００３３】
図１は、スタンプラリーの流れを示す概念図である。なお、図１の例では、スタンプラリーが行われる拠点として、A〜Cの３つが示されているが、実際にはこれより多くの拠点が存在する。
【００３４】
各拠点A〜Cには、夫々、同一の構成及び機能を有するスタンプ装置１がスタンプ台２上に設置されている。各拠点A〜Cにおけるスタンプ装置１に備えられるメモリ（記憶部の一例）には、各スタンプ装置１が設置された拠点を示す拠点データ（例えば、各拠点に固有の識別番号からなる）が記憶されており、これらの拠点データは互いに異なる。
【００３５】
スタンプラリーを行う利用者Ｕは、図１に示すように、スタンプ帖３（記録媒体の一例）を持って各拠点A〜Cをまわり（回り）、各拠点A〜Cにおいてスタンプ装置１を用いてスタンプをスタンプ帖３に押印し、例えば、最終的に景品交換所にスタンプ帖３を持っていき景品と交換する。
【００３６】
図２は、本実施形態に係るスタンプ装置１及びスタンプ台２の構成を説明するための断面図である。図２に示すように、スタンプ装置１は、電源プラグ１１、筐体グリップ部１２、筐体スタンプ部１３、化粧・認識用ＬＥＤ（発光ダイオード）１４、制御基板１５、スピーカ（又はブザー）１６、ＲＦＩＤ（Radio Frequency Identification System）アンテナ１７、ＲＦＩＤリーダライタ通信スイッチ（以下、「Ｒ／Ｗ通信スイッチ」という）１８、及びスタンプを押印するための印版部としてのゴム印１９等を備えて構成されている。
【００３７】
制御基板１５は、ＣＰＵ，ＲＡＭ，ＲＯＭ，不揮発性メモリ等を備え、ＲＦＩＤリーダライタの機能及び計時（時計）機能を有する。かかるＲＦＩＤリーダライタは、例えば非接触ＩＣカード技術である公知のFeliCa（登録商標）技術を採用しており、当該FeliCa技術を採用したＩＣチップ（以下、「ＲＦＩＤチップ」という）からのデータの読み取り及び当該ＲＦＩＤチップへのデータの書き込みを非接触で（非接触通信により）行うことが可能になっている。なお、非接触ＩＣカード技術として上記FeliCa以外の技術を適用しても良く、例えば、MIFARE(R)ウルトラライト（ISO 14443A）の技術を適用しても良い。
【００３８】
例えば、ＲＦＩＤリーダライタは、Ｒ／Ｗ通信スイッチ１８がＯＮ（オン）であるときに通信可能範囲内（例えば、10cm程度）に入ったＲＦＩＤチップを、ＲＦＩＤアンテナを介して検知し（このとき、ＲＦＩＤチップからＵＩＤ（ＲＦＩＤチップの識別子（例えば、ＲＦＩＤチップ毎にユニークな製造番号）（識別データの一例））を取得）、当該ＲＦＩＤチップに電波（例えば13.56MHz）を発信することでＲＦＩＤチップに電力を供給（電磁誘導による）し、キャリアの変調により当該ＲＦＩＤチップ間でデータ通信（ＲＦＩＤの非接触通信）を行うことにより、当該ＲＦＩＤチップからのデータの読み取り及び当該ＲＦＩＤチップへのデータの書き込みを非接触で行う。なお、制御基板１５及びＲＦＩＤアンテナ１７は、本発明における送信部及び取得部を構成する。また、制御基板１５は、本発明におけるエラー判断部、エラー出力部及び制御部を構成する。
【００３９】
また、制御基板１５に備えられるＲＯＭ（又は不揮発性メモリ）の所定の記憶領域には、上述した拠点データが記憶されている。
【００４０】
Ｒ／Ｗ通信スイッチ１８は、図２に示すように、スタンプ装置１がスタンプ台２に設置されているときはスタンプ台２におけるＲ／Ｗ通信スイッチ押し出し突起２１により付勢されるためＯＦＦに、スタンプ装置１がスタンプ台２から離れるとＲ／Ｗ通信スイッチ押し出し突起２１による付勢が解かれるためＯＮになる。
【００４１】
ゴム印１９のスタンプ台２側の印面には、所定の文字、図形等のキャラクタの像形状が形成されており、反対の面は図示のように筐体スタンプ部１３に接着されている。また、スタンプ装置１がスタンプ台２に置かれている状態では、ゴム印１９の印面は、スタンプ台２に設けられた朱肉２０に接している。そして、利用者Ｕがスタンプ装置１を持ち上げ、上記ゴム印１９の印面を、スタンプ帖３の印面（紙面）に押し当てると上記像形状のスタンプが押印されることになる。なお、印版部としては、ゴム印の他にも、撓み易い材質の印であっても良い。
【００４２】
このスタンプ帖３は、上述したＲＦＩＤチップと、スタンプを押印可能な複数の印面とを有しており、当該複数の印面それぞれにスタンプが押印可能になっている。
【００４３】
図３は、スタンプ帖３の構成を説明するための図である。図３の例では、スタンプ帖３は複数ページからなり、裏表紙に上述したＲＦＩＤチップ３１が埋め込まれている。かかるＲＦＩＤチップ３１には、固有のＵＩＤ等が予め記憶されている。なお、当該ＲＦＩＤチップ３１が埋め込まれる場所は裏表紙にすることがＲＦＩＤの非接触通信上望ましいが、他の場所に埋め込まれるようにしても構わない。また、ＲＦＩＤチップ３１はスタンプ帖３に埋め込まれるのではなく、貼り付けられるようにしても構わない。また、ＲＦＩＤチップ３１が埋め込まれたカードが、スタンプ帖３の裏表紙に埋め込まれ（又は貼り付けられ）る構成としても良い。また、ＲＦＩＤチップ３１又はこれが埋め込まれたカードが、スタンプ帖３の裏表紙に設けられたポケットに挿入されるように構成しても良い。なお、ＲＦＩＤチップ３１のアンテナの中央とスタンプ帖３に印刷された枠印の中央が一致するようになっている。
【００４４】
以上のスタンプ装置１とスタンプ帖３の構成において、スタンプ装置１（ＣＰＵ）は、スタンプ帖３の印面にスタンプが押印される際に、スタンプ帖３のＲＦＩＤチップ３１を検知し、当該ＲＦＩＤチップに書き込むべきデータをＲＦＩＤアンテナ１７を介して非接触通信により当該ＲＦＩＤチップ３１に送信する。一方、スタンプ帖３のＲＦＩＤチップ３１は、スタンプ装置１から送信されたデータを複数のページを透過して受信しメモリに書き込むようになっている。
【００４５】
なお、上記「書き込むべきデータ」には、例えば、スタンプ装置１のＲＯＭ等の所定の記憶領域に予め記憶されている拠点データ（拠点の通過履歴を構成するデータ）と、スタンプ装置１の計時機能により計時された時刻（当該データが書き込まれる際の時刻）を示す時刻データ（例えば、年月日時を示すタイムスタンプ）が少なくとも含まれる。
【００４６】
図４は、スタンプ装置１の動作フローの一例を示す図である。
【００４７】
図４において、先ず、スタンプ装置１の電源ＯＮによりシステムが起動（ＣＰＵによりプログラム実行開始）し、起動確認音を再生しスピーカ（又はブザー）１６を通じて出力させる（Ａ）。このとき、スタンプ装置１は、スタンプ台２に設置されており、Ｒ／Ｗ通信スイッチ１８はＯＦＦになっている（Ｂ）。
【００４８】
次に、利用者Ｕがスタンプ装置１をスタンプ台２から持ち上げると、Ｒ／Ｗ通信スイッチ１８はＯＮになり、スタンプ装置１は、これに応じてＲＦＩＤチップのＵＩＤ取得コマンドを発行（これは定期的に行われる）し、ＲＦＩＤアンテナ１７を介して出力する。そして、スタンプ装置１は、ＲＦＩＤチップ３１からのＵＩＤの取得成功（Ｃ）により、当該ＲＦＩＤチップ３１を検知する。
【００４９】
次に、スタンプ装置１は、ＲＦＩＤチップ３１のメモリに書き込まれている拠点データ（未だ書き込まれていない場合は、例えばＮＵＬＬデータ）を、非接触通信により当該ＲＦＩＤチップ３１から取得し（読み込み）、自己の拠点データがＲＦＩＤチップ３１に既に書き込まれているか否かを判別する。そして、当該拠点データが既に書き込まれていない場合には（つまり、当該スタンプ装置１に記憶されている拠点データが、ＲＦＩＤチップ３１から取得されたデータに含まれていない場合にのみ）、スタンプ装置１は、自己の拠点の通過履歴及びタイムスタンプを有するデータを非接触通信で当該ＲＦＩＤチップ３１に送信することにより当該ＲＦＩＤチップ３１のメモリに書き込ませる（Ｄ）。
【００５０】
こうして当該通信が完了すると、スタンプ装置１は、化粧・認識用ＬＥＤ１４を点灯させると共に、完了通知音を再生しスピーカ（又はブザー）１６を通じて出力させる（Ｅ）。
【００５１】
一方、上記判別において拠点データが既に書き込まれている場合には、スタンプ装置１は、エラー通知音を再生しスピーカ（又はブザー）１６を通じて出力させることになる。これにより、ＲＦＩＤチップ３１への書き込みは１つのスタンプ装置１（１拠点）で１度しかできないように制限することができる。
【００５２】
なお、上記ＲＦＩＤチップ３１は、上記スタンプ装置１が設置された拠点を示す拠点データとして、当該拠点に対応するメモリ領域にフラグ“１”を書き込むように構成しても良い。この場合、ＲＦＩＤチップ３１におけるメモリ領域は、拠点A,B,Cの夫々に対応して設けられており、スタンプ装置１はＲＦＩＤチップ３１に拠点データを書き込ませる際に、当該拠点に対応するメモリ領域のアドレス（つまり、フラグ“１”を立てるメモリ領域のアドレス）を指定することになる。
【００５３】
次に、スタンプ装置１の動作フローの応用例について、図５乃至図７等を参照して説明する。
【００５４】
図５（Ａ）は、ＲＦＩＤチップ３１の初期設定情報の一例を示す図であり、図５（Ｂ）は、スタンプ装置１の初期設定情報の一例を示す図である。また、図６（Ａ）は、ＲＦＩＤチップ３１内におけるデータ構造（メモリマップ）の一例を示す図であり、図６（Ｂ）は、スタンプ装置１内におけるデータ構造（利用ログファイル）の一例を示す図である。また、図７は、スタンプ装置１におけるＣＰＵのＲＦＩＤチップ３１検知時の処理例を示すフローチャートである。
【００５５】
この応用例の場合、ＲＦＩＤチップ３１には、予め上述したＵＩＤが記憶されているが、さらに、例えばスタンプ帖発行（スタンプラリー開始）時に、スタンプＲ／Ｗ設定機により図５（Ａ）に示す初期設定情報が書き込まれる。ここで、品目ＩＤは、品目（例えば、イベント）毎に固有の識別情報である。また、スタンプ帖発行日時は、例えば、スタンプラリー開始日（基準日の一例）時である。また、認証コードは、例えば、ＵＩＤと品目ＩＤに基づきＨＭＡＣ(Keyed-Hashing for Message Authentication code)により算出される。ＨＭＡＣは、ＭＡＣ(Message Authentication Code)の一つで、ハッシュ関数を使って秘密鍵と組み合わせて計算するものであり、以下の（１）式のように定義される。
【００５６】
【数１】
0005228738.tif 000002
【００５７】
ここで、“h” はハッシュ関数（MD5,SHA-1など）であり、“Ｋ” は秘密鍵（ここでは品目ＩＤ）であり、“ｍ”は認証対象メッセージ（ここではＵＩＤ）であり、“ipad” と “opad”は夫々ブロック長サイズであり、“ipad”= 0x363636...3636 、 “opad”= 0x5c5c5c...5c5c と定義する。また、“||”は連結、“xor”は排他的論理和を表す。
【００５８】
このような初期設定により、図６（Ａ）に示すように、ＵＩＤ，品目ＩＤ，認証コード，スタンプラリー開始日時がＲＦＩＤチップ３１に記憶されることになる。また、利用者Ｕが各拠点を回りスタンプ帖３にスタンプを押印することにより、ＲＦＩＤチップ３１には、拠点の通過履歴（拠点データ）及びタイムスタンプに加え、正常終了“１”／エラー終了“０”の別が記憶される。なお、正常終了又はエラー終了の書き込みは、後述する図７に示す処理で行われる。また、抽選回数は、利用者Ｕが景品交換所で抽選を行った回数を示しており、後述する処理端末６によりＲＦＩＤチップ３１に書き込まれる。
【００５９】
また、応用例の場合、スタンプ装置１には、初期設定時に、スタンプＲ／Ｗ設定機により図５（Ｂ）に示す初期設定情報が不揮発性メモリに書き込まれる。ここで、Ｒ／ＷＩＤは、各スタンプ装置に固有の識別番号であり、上述した拠点データの一例である。ノルマ数とは、回らなければならない（通過しなければならない）拠点数を示しており、回った拠点数が当該ノルマ数に達した場合に、景品交換の権利等の所定の権利が与えられることになる。また、スタンプ帖３には有効期限（Ｎ日）がスタンプＲ／Ｗ設定機により設定可能になっており、有効期限タイプ（条件）としては、（i）１つめのスタンプが押印されてからＮ日間有効、（ii）最後のスタンプが押印されてからＮ日間有効、（iii）スタンプ帖の発行日（スタンプラリー開始日）からＮ日間有効、（iv）○年□月△日まで有効（絶対有効期限）、などがあり、（i）〜（iv）の何れかのタイプが設定可能になっている。また、図５（Ｂ）に示すように、認証要否、エラー時書き込み要否、再利用可否、同一拠点重複可否、スタンプ獲得順確認要否、ノルマ達成後継続可否、及び抽選後継続可否等が、スタンプＲ／Ｗ設定機により初期設定可能になっている。
【００６０】
そして、図７に示す処理は、スタンプ装置１がＲＦＩＤチップ３１を検知することで開始される（図４（Ｃ））。当該処理が開始されると、スタンプ装置１は、ＲＦＩＤチップ３１のメモリに書き込まれているＵＩＤ、品目ＩＤ、認証コード、スタンプラリー開始日時、獲得スタンプ情報（拠点の通過履歴、タイムスタンプ、正常終了／エラー終了の別）、及び抽選回数等の情報を、非接触通信により当該ＲＦＩＤチップ３１から読み取る（ステップＳ１）。
【００６１】
次いで、スタンプ装置１は、認証要否が要に設定されている場合に、ＲＦＩＤチップ３１が正規の企業から発行されたイベント用であるかを認証するチップ認証処理を実行する。このチップ認証処理では、先ず、上記読み取ったＵＩＤ及び品目ＩＤに基づき上記（１）式により認証コードが算出される。例えば、Ｋ＝0001（品目ＩＤ），ｍ＝AAFF5577（ＵＩＤ）とすると、ＨＭＡＣ0001（AAFF5577）で求められる。次に、当該算出された認証コードと上記読み取られた認証コードとが一致するか否かが判別（取得されたデータに基づくエラー判断）され（ステップＳ２）、一致しない場合（認証ＮＧ）には（ステップＳ２：ＮＯ）、エラーであると判断されてエラー終了の処理が行われ（ステップＳ３）、一致する場合（認証ＯＫ）には（ステップＳ２：ＹＥＳ）、ステップＳ４に進む。
【００６２】
ステップＳ４では、スタンプ装置１は、上記読み取った情報に品目ＩＤが含まれているか否かを判別し、品目ＩＤが含まれていない（ＲＦＩＤチップ３１に書き込まれていなかった）場合には（ステップＳ４：ＮＯ）、ステップＳ５に進み、品目ＩＤが含まれている（ＲＦＩＤチップ３１に書き込まれていた）場合には（ステップＳ４：ＹＥＳ）、ステップＳ６に進む。
【００６３】
ステップＳ５では、スタンプ装置１は、初期設定情報として不揮発性メモリに記憶されていた品目ＩＤをＲＦＩＤチップ３１に書き込む。
【００６４】
一方、ステップＳ６では、スタンプ装置１は、上記読み取った品目ＩＤと、初期設定情報として不揮発性メモリに記憶されていた品目ＩＤと、とが一致しているか否かを判別し、一致していない場合には（ステップＳ６：ＮＯ）、ステップＳ７に進み、一致している場合には（ステップＳ６：ＹＥＳ）、ステップＳ１０に進む。
【００６５】
ステップＳ７では、スタンプ装置１は、再利用可否が可に設定されているか否かを判別し、再利用可否が否に設定されている場合には（ステップＳ７：ＮＯ）、エラー終了の処理を行う（ステップＳ８）。一方、再利用可否が可に設定されている場合には（ステップＳ７：ＹＥＳ）、スタンプ装置１は、ＲＦＩＤチップ３１に書き込まれているデータ部分をリセット（つまり、スタンプラリー開始日時、獲得スタンプ情報、及び抽選回数を消去）し（ステップＳ９）、ステップＳ１０に進む。再利用可の場合、一度利用されたＲＦＩＤチップも、後日、例えば別のスタンプラリーのイベント（例えば、ＲＦＩＤチップが埋め込まれた会員カードを利用して定期的にスタンプラリーを行うときなど）で再利用できる。
【００６６】
次に、ステップＳ１０の処理は有効期限及び有効期限のタイプが設定されている場合に行われ、スタンプ装置１は、当該有効期限の条件を満たすか否かを判別（取得されたデータに基づくエラー判断）し（有効期限又は有効期限のタイプが設定されていない場合は、そのままステップＳ１２に進む）、有効期限の条件を満たす場合には（ステップＳ１０：ＹＥＳ）、ステップＳ１２に進み、有効期限の条件を満たさない場合には（ステップＳ１０：ＮＯ）、エラーであると判断してエラー終了の処理を行う（ステップＳ１１）。
【００６７】
ステップＳ１２の処理は同一拠点重複可否が否に設定されている場合に行われ、スタンプ装置１は、自己の拠点データがＲＦＩＤチップ３１に既に書き込まれているか否かを上記読み取った獲得スタンプ情報から判別し（同一拠点重複可否が可に設定されている場合は、そのままステップＳ１５に進む）、当該拠点データが既に書き込まれていない場合には（ステップＳ１２：ＮＯ）、ステップＳ１５に進み、当該拠点データが既に書き込まれている場合（重複している）には（ステップＳ１２：ＹＥＳ）、ステップＳ１３に進む。
【００６８】
ステップＳ１３では、スタンプ装置１は、一定時間内で前回処理と同一のＲＦＩＤチップであるか否かを上記読み取ったＵＩＤから判別する。この処理は、スタンプ（印影）が綺麗に押印されない場合、何度もスタンプを押しなおす利用者がいることを考慮し、一定時間（例えば、３分）内で前回処理と同一のＲＦＩＤチップである場合は、エラー終了にしないものである。
【００６９】
そして、前回処理と同一のＲＦＩＤチップである場合には（ステップＳ１３：ＹＥＳ）、ステップＳ１５に進み、前回処理と同一のＲＦＩＤチップでない場合には（ステップＳ１３：ＮＯ）、エラー終了の処理を行う（ステップＳ１４）。
【００７０】
ステップＳ１５の処理はスタンプ獲得順確認要否が要に設定されている場合に行われ、スタンプ装置１は、設定された拠点データの獲得順に、拠点データがＲＦＩＤチップに書き込まれているか否かを上記読み取った獲得スタンプ情報から判別し、設定された拠点データの獲得順に書き込まれている場合には（ステップＳ１５：ＹＥＳ）、ステップＳ１７に進み、設定された拠点データの獲得順に書き込まれていない場合には（ステップＳ１５：ＮＯ）、エラー終了の処理を行う（ステップＳ１６）。
【００７１】
ステップＳ１７の処理は、予め設定されたノルマが達成している（例えば、上述したノルマ数に達している）場合（ノルマが達成している場合の具体例については後述する）に行われ、スタンプ装置１は、ノルマ達成後継続可否が可に設定されているか否かを判別し、ノルマ達成後継続可否が可に設定されている場合には（ステップＳ１７：ＹＥＳ）、ステップＳ１９に進み、ノルマ達成後継続可否が否に設定されている場合には（ステップＳ１７：ＮＯ）、エラー終了の処理を行う（ステップＳ１８）。
【００７２】
ステップＳ１９の処理は抽選済である場合（例えば、上記読み取った抽選回数が１以上の場合）に行われ、スタンプ装置１は、抽選後継続可否が可に設定されているか否かを判別し、抽選後継続可否が可に設定されている場合には（ステップＳ１９：ＹＥＳ）、ステップＳ２１に進み、抽選後継続可否が否に設定されている場合には（ステップＳ１９：ＮＯ）、エラー終了の処理を行う（ステップＳ２０）。
【００７３】
ステップＳ２１では、スタンプ装置１は、自己の拠点の通過履歴、タイムスタンプ、及び正常終了“１”を有するデータを非接触通信で当該ＲＦＩＤチップ３１に送信することにより当該ＲＦＩＤチップ３１に書き込ませる。
【００７４】
そして、スタンプ装置１は、図６（Ｂ）に示すように、利用ログファイルを記憶する（ステップ２２）。次いで、スタンプ装置１は、化粧・認識用ＬＥＤ１４を点灯させると共に、完了通知音を再生しスピーカ（又はブザー）１６を通じて出力させ、正常終了する。
【００７５】
一方、上述したステップＳ３，Ｓ８等のエラー終了の処理において、スタンプ装置１は、エラー時書き込み要否が要に設定されているか否かを判別し、要に設定されている場合には、自己の拠点の通過履歴、タイムスタンプ、及び異常終了“０”を有するデータを非接触通信で当該ＲＦＩＤチップ３１に送信することにより当該ＲＦＩＤチップ３１に書き込ませ、エラー通知音を再生しスピーカ（又はブザー）１６を通じて出力（エラー出力）させ、当該処理を終了する。一方、エラー時書き込み要否が否に設定されている場合、スタンプ装置１は、自己の拠点の通過履歴を書き込むことなく、エラー通知音を再生しスピーカ（又はブザー）１６を通じて出力させ、当該処理を終了する。
【００７６】
更に、当該エラー終了の処理において、スタンプ帖３の印面にスタンプが押印されると同時に、図８に示すように、当該印面にエラーマークが押印されるように構成すれば効果的である。
【００７７】
図９は、印面にエラーマークを押印可能としたスタンプ装置の一例を示す図である。図９に示すスタンプ装置１ａでは、図２に示すスタンプ装置１の構成に加え、スタンプ帖３の印面に対してエラーマークを押印するためのエラーマーク印版部としてのエラーマーク用ゴム印１９ａ、可動スタンプ部１９ｂ、及びモータ，ギア等からなる可動スタンプ部駆動機構１９ｃを備えている。エラーマーク用ゴム印１９ａのスタンプ台２側の印面には、エラーマークとして例えば×印等が形成されており、反対の面は図示のように可動スタンプ部１９ｂに接着されている。また、可動スタンプ部１９ｂは、ＣＰＵにより制御される可動スタンプ部駆動機構１９ｃにより制御基板１５とスタンプ台２方向（紙面上下方向）に移動可能になっている。
【００７８】
図１０は、可動スタンプ部１９ｂの動きを説明するための図である。
【００７９】
図１０（Ａ）に示すように、スタンプ装置１ａがスタンプ台２に置かれている状態では、エラーマーク用ゴム印１９ａの印面は、ゴム印１９の印面と共に、スタンプ台２に設けられた朱肉２０に接している。そして、図１０（Ｂ）に示すように、利用者Ｕがスタンプ装置１を持ち上げた場合、Ｒ／Ｗ通信スイッチ１８がＯＮになったことがＣＰＵに伝えられ、ＣＰＵにより可動スタンプ部駆動機構１９ｃが制御され、可動スタンプ部１９ｂが制御基板１５方向に移動する（筐体内部に入る）。その後、利用者Ｕが、スタンプを押印するためにスタンプ装置１ａをスタンプ帖３に近づけ、上述した図７に示す処理が行なわれ正常終了になった場合、図１０（Ｃ）に示すように、可動スタンプ部１９ｂは筐体内部に入ったままの状態となり、ゴム印１９の印面のみがスタンプ帖３の印面に押し当てられスタンプが押印されることになる。一方、上述した図７に示す処理が行なわれエラー終了になった場合、図１０（Ｄ）に示すように、ＣＰＵにより可動スタンプ部駆動機構１９ｃが制御され、可動スタンプ部１９ｂがスタンプ帖３の印面方向に移動（押し出される）し、ゴム印１９及びエラーマーク用ゴム印１９ａの印面がスタンプ帖３の印面に押し当てられスタンプ及びエラーマークが押印されることになる。このような構成によれば、利用者Ｕはエラーであることがスタンプ帖３上で一目で分かるというメリットがある。
【００８０】
また、別の例として、上記エラー終了の処理において、印面にエラーマークが押印されるのではなく、スタンプ帖３の印面にスタンプさえも押印されないように構成しても効果的である。
【００８１】
図１１は、印面にスタンプが押印されないことを可能としたスタンプ装置の一例を示す図である。図１１に示すスタンプ装置１ｂでは、図２に示すスタンプ装置１の構成に加え、スタンプの押印を阻止する押印阻止部としての可動押印阻止部材１９ｄ、及びモータ，ギア等からなる可動押印阻止部材駆動機構１９ｅを備えている。可動押印阻止部材１９ｄは、ＣＰＵにより制御される可動押印阻止部材駆動機構１９ｅにより制御基板１５とスタンプ台２方向（紙面上下方向）に移動可能になっており、筐体スタンプ部１３の底面（ゴム印１９が接着される面）部に設けられた孔（例えば、複数の孔）から突出（ゴム印１９を挟んで互いに対向する位置から突出）可能になっている。
【００８２】
図１２は、可動押印阻止部材１９ｄの動きを説明するための図である。
【００８３】
図１２（Ａ）,（Ｂ）に示すように、スタンプ装置１ｂがスタンプ台２に置かれている状態及び利用者Ｕにより持ち上げられた状態では、可動押印阻止部材１９ｄは、筐体内部に入ったままの状態となっている。その後、利用者Ｕが、スタンプを押印するためにスタンプ装置１ｂをスタンプ帖３に近づけ、上述した図７に示す処理が行なわれ正常終了になった場合、図１２（Ｃ）に示すように、可動押印阻止部材１９ｄは、筐体内部に入ったままの状態となり、ゴム印１９の印面がスタンプ帖３の印面に押し当てられスタンプが押印されることになる。一方、上述した図７に示す処理が行なわれエラー終了になった場合、図１２（Ｄ）に示すように、ＣＰＵにより可動押印阻止部材駆動機構１９ｅが制御され、可動押印阻止部材１９ｄがスタンプ帖３の印面方向に移動（押し出される）し、ゴム印１９の印面がスタンプ帖３の印面に押し当てられるのが阻止されることになる。このような構成によれば、エラー時に無駄にスタンプがスタンプ帖３に押印されるのを防ぐことができる。
【００８４】
次に、スタンプ装置１及びスタンプ帖３を用いたスタンプラリーの実施例を説明する。
【００８５】
（実施例１）
先ず、図１３を参照して、スタンプラリーの実施例１について説明する。なお、実施例１では、ＵＩＤによるユーザ認証無しの場合を例にとる。
【００８６】
実施例１の場合、図１３に示すように、スタンプラリーで使用されるスタンプ帖３（スタンプラリーを開催する事業者が用意）が利用者Ｕに配布される。
【００８７】
そして、利用者Ｕはスタンプ帖３を持って拠点A〜Cを回り、図１３に示すように、各拠点A〜Cにおいてスタンプ装置１（又は１ａ又は１ｂ）を用いてスタンプ帖３の印面にスタンプを押すとともに、当該自己の拠点の通過履歴及びタイムスタンプを有するデータをスタンプ帖３のＲＦＩＤチップ３１に書き込ませ、最終的に例えば景品交換所を訪れることになる。
【００８８】
この景品交換所には、景品交換用Ｒ／Ｗ（ＲＦＩＤリーダライタ）４とこれに電気的に接続される処理端末（例えば、本発明の情報処理プログラムを実行するパーソナルコンピュータからなる確認端末）６（情報処理装置の一例）が設置されている。なお、処理端末６は、ＵＩＤと景品交換履歴（景品交換を行ったか否かを示す履歴）とを対応付け（紐付け）て登録したデータベース（ＤＢ）を有している。
【００８９】
そして、当該景品交換所において、利用者Ｕが自身のスタンプ帖３を景品交換用Ｒ／Ｗ４にかざすと、景品交換用Ｒ／Ｗ４は、スタンプ帖３のＲＦＩＤチップ３１からＵＩＤ、及び各拠点の通過履歴及びタイムスタンプを有するデータを非接触通信により読み込み、これらのデータを処理端末６に送信することになる。
【００９０】
処理端末６は、上記スタンプ帖３におけるＲＦＩＤチップ３１に書き込まれた上記データ及び当該ＲＦＩＤチップ３１に予め記憶されていたＵＩＤを景品交換用Ｒ／Ｗ４を通じて取得し（取得手段）、当該取得されたデータに基づいて、当該スタンプ帖３の所有者である利用者Ｕに対して所定の権利を与えるか否かを決定する（決定手段）ようになっている。
【００９１】
例えば、処理端末６は、上記取得したＵＩＤ及び拠点データをチェックし、例えば景品交換の権利（景品が得られる権利）或いは抽選ができる権利を当該利用者Ｕに与えるか否かを決定（判断）する。そして、処理端末６は、例えば景品交換の権利（景品が得られる権利）或いは抽選ができる権利を当該利用者Ｕに与えると決定した場合には、その旨を示す情報を出力（例えば、印刷出力、表示出力、音声出力など）する。こうして、当該権利を与えられた利用者Ｕは、スタンプ帖３と景品を交換したり（景品が得られる）、スタンプ帖３と抽選券を交換する（抽選ができる）ことができる。さらに、処理端末６は、当該景品交換又は抽選券交換を行ったこと示す履歴（例えば、交換済みフラグ“１”）を、上記取得したＵＩＤに対応付けて上記データベースに登録（記憶）する（或いは景品交換用Ｒ／Ｗ４を通じてスタンプ帖３におけるＲＦＩＤチップ３１に書き込ませる）。
【００９２】
ここで、上述した、利用者Ｕに対して所定の権利を与えるか否かの判断方法の具体例として、処理端末６は、上記データベース（或いはスタンプ帖３におけるＲＦＩＤチップ３１）からデータを読み出し、上記取得したＵＩＤに対応付けられて上記交換を行ったこと示す履歴（例えば、交換済みフラグ“１”）がデータベースに登録されている（又はＲＦＩＤチップ３１に書き込まれている）か否かを判別し、データベースに登録されていない（又はＲＦＩＤチップ３１に書き込まれていない）場合には、続いて、上記取得した拠点データが拠点A〜Cの数分（この場合、全拠点数とノルマ数が同じ）、或いは当該拠点A〜Cより少ない所定数分（この場合、全拠点数よりノルマ数が少ない（全ての拠点を回らなくても良い））あるか否かを判別し、当該数分ある場合に、利用者Ｕに対して所定の権利を与えることを決定する。
【００９３】
例えば、処理端末６は、上記取得したデータに予め定められた必須拠点（例えば、拠点B）の拠点データが含まれている場合に利用者Ｕに対して所定の権利を与えることを決定したり（例えば、利用者Ｕが必須拠点（ノルマとなる拠点）を回っていた場合のみ、例えば景品交換を可能とさせる）、或いは、上記取得したデータに予め定められた拠点数分（例えば、拠点A〜Cのうちの何れか２つの拠点）の拠点データが含まれている場合に利用者Ｕに対して所定の権利を与えることを決定する（例えば、利用者Ｕが必要な拠点数を回っていた場合のみ、例えば景品交換を可能とさせる）。
【００９４】
更に別の例として、処理端末６は、上記取得したデータを参照し、最初の拠点においてＲＦＩＤチップ３１に拠点データが書き込まれた時刻（タイムスタンプ）から、最後の拠点においてＲＦＩＤチップ３１に拠点データが書き込まれた時刻までの時間に応じて与える権利の内容（例えば景品の内容）を異ならしめるように構成しても良い。これにより、例えば、最初の拠点から最後の拠点までの到達時間が３時間以内の人は景品Ａを、それ以上の人は景品Ｂを渡すといったことができる。
【００９５】
更に別の例として、利用者Ｕに対して抽選ができる権利が与えられることが決定された場合に、上記取得されたデータに含まれる拠点データに応じて当該抽選確率が異なるように構成しても良い。例えば、拠点Aと拠点Cを回った人は抽選で当りになる確率が高いなどといった、クリアした拠点を考慮した抽選をさせることもできる。
【００９６】
一方、上記交換を行ったこと示す履歴がデータベースに登録されている（又はＲＦＩＤチップ３１に書き込まれている）場合、又は上記数分ない場合には、処理端末６は、利用者Ｕに対して所定の権利を与えないことを決定することになる。なお、処理端末６は、ＵＩＤを使用せず（つまり、上記交換を行ったこと示す履歴を考慮せず）に、上記取得した拠点データのみに基づき、景品交換の権利或いは抽選ができる権利を当該利用者Ｕに与えるか否かを決定（判断）するように構成しても良い。
【００９７】
このような実施例１の構成によれば、スタンプラリー達成時の景品交換等を行ったかが正確にわかり、一人の利用者Ｕに対して一度しか景品交換や抽選券の発行をできないようにすることができる。また、正確に指定のスタンプで押されたかが上記拠点データで確認できるので、人が目視してスタンプ帖を１ページ毎確認して、ある基準のスタンプが押されているか確認することなく、スタンプ帖３を景品交換用Ｒ／Ｗ４にかざすだけで簡単に基準を満たしているかを確認することができる。また、自販機などと組み合わせて自動景品交換機とすることも可能となる。
【００９８】
更に、処理端末６により取得された各拠点の通過履歴及びタイムスタンプはマーケティング等に活用することができる。例えば、利用者Ｕがどのくらいの時間で拠点を回りスタンプラリーを達成したか、どのような経路（拠点を回る順番）でスタンプを利用したか、それぞれの拠点の間でどのくらい時間を要したか、といったマーケティングデータの取得が可能となり、これを活用することができる。なお、タイムスタンプにより、拠点を回った順番が分かるので、スタンプを押す順番を守らないものははじくといったサービスも可能となる。
【００９９】
（実施例２）
次に、図１４を参照して、スタンプラリーの実施例２について説明する。なお、実施例２では、ＵＩＤによるユーザ認証有りの場合を例にとる。
【０１００】
実施例２の場合、図１４に示すように、利用者Ｕは、ユーザ認証用Ｒ／Ｗ（ＲＦＩＤリーダライタ）５とこれに電気的に接続される処理端末６が設置された例えば景品交換所に行き、そこでスタンプラリーで使用されるスタンプ帖３が利用者Ｕに配布される。そして、スタンプ帖３の配布（発行）の際に、ユーザ認証用Ｒ／Ｗ５により、当該利用者Ｕが所有する会員カード又は交通カード等のＩＣカード（所有者が使用する媒体の一例であり、磁気カードや携帯電話機等でも良い）からカードＩＤ（カードの識別データの一例）が読み取られ、これが処理端末６に送信される。当該処理端末６では、ユーザ認証用Ｒ／Ｗ５を通じて取得した上記カードＩＤと、当該利用者Ｕに配布されるスタンプ帖３におけるＲＦＩＤチップ３１に予め記憶されるＵＩＤと、を対応付け（紐付け）てデータベースに登録し、事前に管理するようにしておく。
【０１０１】
そして、実施例１と同様、利用者Ｕはスタンプ帖３を持って拠点A〜Cを回り、図１４に示すように、各拠点A〜Cにおいてスタンプ装置１（又は１ａ又は１ｂ）を用いてスタンプ帖３の印面にスタンプを押すとともに、当該自己の拠点の通過履歴及びタイムスタンプを有するデータをスタンプ帖３のＲＦＩＤチップ３１に書き込ませ、最終的に景品交換所を訪れることになる。
【０１０２】
この景品交換所には、景品交換用Ｒ／Ｗ４及びユーザ認証用Ｒ／Ｗ５とこれに電気的に接続される処理端末６が設置されている。
【０１０３】
そして、拠点が利用者Ｕにより回られた後に、当該景品交換所において、利用者Ｕが自身のＩＣカードをユーザ認証用Ｒ／Ｗ５にかざすと、ユーザ認証用Ｒ／Ｗ５は、ＩＣカードからカードＩＤを読み込み、これを処理端末６に送信する。また、当利用者Ｕが自身のスタンプ帖３を景品交換用Ｒ／Ｗ４にかざすと、景品交換用Ｒ／Ｗ４は、スタンプ帖３のＲＦＩＤチップ３１からＵＩＤ、及び各拠点の通過履歴及びタイムスタンプを有するデータを非接触通信により読み込み、これらのデータを処理端末６に送信することになる。更に、当該処理端末６は、ＵＩＤに対応付けてデータベースに登録しておいたカードＩＤを当該データベースから取得し、当該取得したカードＩＤと、拠点が利用者Ｕにより回られた後に上記ユーザ認証用Ｒ／Ｗ５を通じてＩＣカードから取得したカードＩＤと、が一致するか否かを判別（つまり、ユーザ認証を行う）し、当該ユーザ認証結果、双方のカードＩＤが一致すると判別した場合に、実施例１と同様、上記取得されたデータに基づいて、当該スタンプ帖３の所有者である利用者Ｕに対して所定の権利を与えるか否かを決定する。
【０１０４】
なお、上述した、利用者Ｕに対して所定の権利を与えるか否かの判断方法の具体例としては実施例１と同様である。
【０１０５】
このような実施例２の構成によれば、実施例１と同様の効果を奏することに加え、交通系、会員証等のパーソナルカードのカードＩＤ（携帯電話機に格納されたＩＤでも良い）とＵＩＤを紐付け管理することにより、スタンプ帖３を一人１冊しか配布、利用できないようにすることができる。
【０１０６】
なお、拠点が利用者Ｕにより回られた後に、当該景品交換所において、利用者Ｕが自身のＩＣカードをユーザ認証用Ｒ／Ｗ５にかざすと、ユーザ認証用Ｒ／Ｗ５は、ＩＣカードからカードＩＤを読み込みこれを処理端末６に送信し、当該処理端末６は当該カードＩＤを取得し、それから、利用者Ｕが自身のスタンプ帖３をユーザ認証用Ｒ／Ｗ５にかざすと、当該処理端末６は、上記取得したカードＩＤを当該ユーザ認証用Ｒ／Ｗ５を通じてスタンプ帖３のＲＦＩＤチップ３１に書き込ませるように構成しても良い。この場合、拠点が利用者Ｕにより回られた後に、当該景品交換所において、利用者Ｕが自身のＩＣカードをユーザ認証用Ｒ／Ｗ５にかざすと、ユーザ認証用Ｒ／Ｗ５は、ＩＣカードからカードＩＤを読み込み、これを処理端末６に送信する。また、当利用者Ｕが自身のスタンプ帖３を景品交換用Ｒ／Ｗ４にかざすと、景品交換用Ｒ／Ｗ４は、スタンプ帖３のＲＦＩＤチップ３１からＵＩＤ、及び各拠点の通過履歴及びタイムスタンプを有するデータ、並びにカードＩＤを非接触通信により読み込み、これらのデータを処理端末６に送信することになる。更に、当該処理端末６は、ＲＦＩＤチップ３１から景品交換用Ｒ／Ｗ４を通じて取得したカードＩＤと、上記ユーザ認証用Ｒ／Ｗ５を通じてＩＣカードから取得したカードＩＤと、が一致するか否かを判別（つまり、ユーザ認証を行う）し、当該ユーザ認証結果、双方のカードＩＤが一致すると判別した場合に、実施例１と同様、上記取得されたデータに基づいて、当該スタンプ帖３の所有者である利用者Ｕに対して所定の権利を与えるか否かを決定することになる。この構成によれば、ＩＣカードのカードＩＤを上記データベースで管理する必要がなくなるという効果を奏する。
【０１０７】
（実施例３）
次に、スタンプラリーの実施例３について、図１５乃至図１７を参照して説明する。この実施例３では処理端末６が抽選マシンとして扱われ、複数の抽選所に設置される。
【０１０８】
図１５は、抽選マシンの初期設定情報の一例を示す図である。また、図１６は、抽選マシンにおけるデータ構造（利用ログファイル）の一例を示す図である。また、図１７は、抽選マシンにおける処理例を示すフローチャートである。
【０１０９】
実施例３の場合、処理端末６には、初期設定時に、スタンプＲ／Ｗ設定機により図１５に示す初期設定情報が不揮発性メモリに書き込まれる。ここで、抽選マシンＩＤは、抽選マシン毎に固有の識別情報である。また、図１５に示すように、複数回抽選可否、及び確率調整パターン等が、スタンプＲ／Ｗ設定機により初期設定可能になっている。
【０１１０】
実施例３において、利用者Ｕはスタンプ帖３を持って各拠点を回り、各拠点においてスタンプ装置１（又は１ａ又は１ｂ）を用いてスタンプ帖３の印面にスタンプを押すとともに、当該自己の拠点の通過履歴及びタイムスタンプを有するデータをスタンプ帖３のＲＦＩＤチップ３１に書き込ませ、抽選所を訪れることになる。
【０１１１】
そして、抽選所において、利用者Ｕが自身のスタンプ帖３を景品交換用Ｒ／Ｗ４にかざすと、景品交換用Ｒ／Ｗ４は、スタンプ帖３のＲＦＩＤチップ３１からＵＩＤ、品目ＩＤ、スタンプラリー開始日時、獲得スタンプ情報（拠点の通過履歴、タイムスタンプ、正常終了／エラー終了の別）、及び抽選回数等の情報を取得（読み取る）ことで、図１７に示す処理が開始される。そして、抽選マシンは、当該取得された情報を、景品交換用Ｒ／Ｗ４から取得する（ステップＳ３１）。
【０１１２】
次いで、抽選マシンは、上記取得した品目ＩＤと、初期設定情報としてハードディスク等に記憶されていた品目ＩＤと、とが一致しているか否かを判別し（ステップＳ３２）、一致していない場合には（ステップＳ３２：ＮＯ）、エラーメッセージを出力して当該処理を終了し、一致している場合には（ステップＳ３２：ＹＥＳ）、ステップＳ３３に進む。
【０１１３】
次に、ステップＳ３３の処理は有効期限及び有効期限のタイプが設定されている場合に行われ、抽選マシンは、当該有効期限の条件を満たす否かを判別し（有効期限又は有効期限のタイプが設定されていない場合は、そのままステップＳ３４に進む）、有効期限の条件を満たす場合には（ステップＳ３３：ＹＥＳ）、ステップＳ３４に進み、有効期限の条件を満たさない場合には（ステップＳ３３：ＮＯ）、エラーメッセージを出力して当該処理を終了する。
【０１１４】
ステップＳ３４では、抽選マシンは、上記取得した抽選回数が１以上であり、且つ複数回抽選可否が不可に設定されているか否かを判別し、抽選回数が１以上であり、且つ複数回抽選可否が不可である場合には（ステップＳ３４：ＹＥＳ）、エラーメッセージを出力して当該処理を終了し、そうでない場合（つまり、抽選回数が０であるか、又は複数回抽選可否が可である場合）には（ステップＳ３４：ＮＯ）、ステップＳ３５に進む。
【０１１５】
ステップＳ３５では、抽選マシンは、予め設定されたノルマが達成しているか否かを判別し、ノルマが達成していない場合には（ステップＳ３５：ＮＯ）、エラーメッセージを出力して当該処理を終了し、ノルマが達成している場合には（ステップＳ３５：ＹＥＳ）、ステップＳ３６に進む。
【０１１６】
ここで、ノルマが達成している場合の具体例としては、例えば、全拠点数と同じノルマ数分の拠点データが書き込まれていた場合（全拠点を回った場合）、或いは全拠点数より少ないノルマ数以上の拠点データが書き込まれていた場合（全ての拠点を回らなくても良いが所定拠点数以上回った場合）、或いは予め定められた必須拠点の拠点データが書き込まれていた場合、或いは予め定められた拠点データ獲得順（例えば、拠点A→C→Bの順）に指定があり（つまり、スタンプを集める順番に指定があり）、当該順番で複数の拠点データが書き込まれていた場合等が挙げられる。
【０１１７】
ステップＳ３６では、抽選マシンは、複数回抽選可否が可に設定されているか否かを判別し、可に設定されている場合には（ステップＳ３６：ＹＥＳ）、ステップＳ３７に進み、不可に設定されている場合には（ステップＳ３６：ＮＯ）、抽選可能回数を１回とし、ステップＳ３８に進む。
【０１１８】
ステップＳ３７では、抽選マシンは、例えば現時点で獲得している拠点データの数（回った拠点数）と抽選回数から、今回抽選できる抽選可能回数を算出する。例えば抽選可能回数は、スタンプの押印Ｎ（例えば１０）個（＝拠点データの数）につき１回（ただし、抽選回数を減算）となるように算出される（つまり、スタンプを２０個集めたら計２回抽選できる）。当該抽選後も引き続きスタンプを追加押印させる（拠点データをＲＦＩＤチップ３１に書き込む）ことを可能とさせることもできる。なお、抽選後も引き続きスタンプを追加押印させる場合、再度の抽選はできないようにすることもできるし、前回の抽選以降に追加押印されたスタンプの個数分の抽選を行わせることもできる。また、抽選後はこれまでにＲＦＩＤチップ３１に書き込まれた獲得スタンプ情報及び抽選回数がクリアされ、その後必要数の拠点において拠点データがＲＦＩＤチップ３１に書き込まれると再度の抽選を行えるように構成しても良い。
【０１１９】
ステップＳ３８では、抽選マシンは、上記抽選可能回数分の抽選処理を行う。かかる抽選処理においては、当選（１等、２等・・・）か、はずれかが確率により算出され、その抽選結果が例えばディスプレイの画面上に表示される。このとき、抽選マシンは、初期設定された確率調整パターンにしたがって当選確率を変える。例えば、スタンプラリーの開始から終了までの時間が短い利用者の当選確率を高くしたり、或いは、早い時期に抽選した利用者の当選確率を高くしたり、或いは、多くの拠点を回っている（多くのスタンプを集めた）利用者の当選確率を高くする等が挙げられる。
【０１２０】
次いで、抽選マシンは、今回の抽選を行った回数を上記取得した抽選回数に加算した値を新たな抽選回数としてＲＦＩＤチップ３１に書き込ませる（ステップＳ３９）。
【０１２１】
次いで、抽選マシンは、図１６に示すように、利用ログファイルを記憶し（ステップ４０）、当該処理を終了する。
【０１２２】
（実施例４）
次に、スタンプラリーの実施例４について説明する。
【０１２３】
上記実施形態においては、ＲＦＩＤチップ３１は、スタンプ帖３の例えば裏表紙に埋め込まれ又は貼り付けられるように構成したが、ここでは、ＲＦＩＤチップ３１のその他の持たせ方について説明する。なお、ＲＦＩＤチップ３１に書き込まれる情報は、上述した通りである。
【０１２４】
図１８は、ＲＦＩＤチップ３１の持たせ方の例を示す図である。なお、何れの例も、ＲＦＩＤチップ３１のアンテナの中央（中心）とスタンプ帖３に印刷された枠（スタンプが押印される領域の枠）印の中央が一致するようになっている。
【０１２５】
図１８（Ａ）の例では、ＲＦＩＤチップ３１が埋め込まれたカードＣＡが、スタンプ帖３のブックカバーＢＫの内側に貼り付けられた構成を示している。この場合、製本されたスタンプ帖３をブックカバーＢＫに入れて利用され、例えば上記抽選後、ブックカバーＢＫを外してスタンプ帖３のみ利用者Ｕに記念として提供される。このブックカバーＢＫはリセット機にかざされ、ＵＩＤ、品目ＩＤ、及び認証コード以外の情報がクリアされ、再利用される。なお、ＲＦＩＤチップ３１が埋め込まれたカードＣＡが、スタンプ帖３のブックカバーに設けられたポケットに挿入されるように構成しても良い。また、ＲＦＩＤチップ３１自体が、スタンプ帖３のブックカバーの内側に貼り付けられ、又はブックカバーに設けられたポケットに挿入された構成としても良い。
【０１２６】
図１８（Ｂ）の例では、ＲＦＩＤチップ３１が埋め込まれたカードＣＡが厚紙ＰＥの窪み（カード寸法にくり貫かれた部分）に嵌め込まれ、当該厚紙ＰＥがスタンプ帖３の裏表紙に貼り付けられた（若しくは裏表紙で厚紙が挟まれた）構成を示している。なお、ＲＦＩＤチップ３１自体が、厚紙の窪み（チップ寸法にくり貫かれた部分）に嵌め込まれ、当該厚紙がスタンプ帖３の裏表紙に貼り付けられる（若しくは裏表紙で厚紙が挟まれる）構成としても良い。
【０１２７】
図１８（Ｃ）の例では、スタンプ帖３の裏表紙に設けられたポケット（ブックカバーに設けられたポケットでも良い）ＰＯに、ＲＦＩＤチップ３１が埋め込まれた会員カードＣＡが挿入された構成を示している。この場合、当該会員カードＣＡは利用者Ｕにより所有されているものであり、この会員カードＣＡに埋め込まれたＲＦＩＤチップ３１にはＵＩＤ等の情報の他、利用者の会員番号等の個人情報が書き込まれている。利用者Ｕはスタンプラリーを行う際に、自己の会員カードを上記ポケットＰＯに挿入して使用することになる。また、当該会員カードＣＡが上記ポケットＰＯに挿入された場合に、必ずＲＦＩＤチップ３１のアンテナの中央と、スタンプが押印される領域の枠印の中央が一致するように上記スタンプ帖３のポケットＰＯが位置決めされている。なお、例えば上記抽選後には、会員カードＣＡはスタンプ帖３から外され、当該スタンプ帖３は利用者Ｕに記念として提供され、当該会員カードは通常の会員カードＣＡとして利用される。
【０１２８】
図１８（Ｄ）の例では、ＲＦＩＤチップ３１が埋め込まれたボードＢＯに、クリップＣＲでバラになったスタンプ帖３が止められた構成を示している。
【０１２９】
図１８（Ｅ）の例では、スタンプ帖３としてのチラシ１枚の所定位置に、複数のＲＦＩＤチップ３１が埋め込まれた（又は貼り付けられた）構成を示している。
【０１３０】
以上説明したように、上記第一実施形態によれば、物がもつ“思い出”的な要素が有り利用者にとってコレクション欲を満たさすというスタンプラリーの利点（良さ）を生かしつつ（残しつつ）、認証や、後のチェック等を容易に行うことができる。
【０１３１】
なお、上記実施形態においては、本発明のスタンプ装置をスタンプラリーに適用する場合を例にとって説明したが、その他の場面にも適用しても良い。
【０１３２】
（第二実施形態）
次に、第二実施形態では、スタンプシステムがショールームやショッピングモールで利用される場合について説明する。例えばショールームを例にとると、ここには様々な展示物が展示されており、ショールーム受付にはショールームに来た利用者に配布されるスタンプ帖３が用意されている。
【０１３３】
また、上述した例えばスタンプ装置１はショールームにおける複数の展示拠点に設置されており、各スタンプ装置１はコンテンツ配信制御装置と通信可能になっている。
【０１３４】
図１９は、スタンプ装置１と通信するコンテンツ配信制御装置の概要構成例を示す図である。図１９に示すように、コンテンツ配信制御装置７は、通信部７１、コンテンツ選択部７２、コンテンツ配信部７３、及びコンテンツ情報を格納するコンテンツデータベース７４等を備えており、利用者に対してコンテンツ情報を提示する提示装置としての機能を担う。
【０１３５】
なお、かかるコンテンツ配信制御装置７は、例えばＰＣ上において所定のアプリケーションソフトが実行されることにより実現される。
【０１３６】
通信部７１は、スタンプ装置１との間で行われる有線（例えば、通信ケーブル）又は無線（例えば、Bluetooth等の近距離無線）による通信を制御する。これにより、スタンプ装置１によりコンテンツ選択部７２から読み取られた情報がコンテンツ選択部７２に送信される。
【０１３７】
コンテンツ選択部７２は、スタンプ装置１から通信部７１を介して送信された情報に応じたコンテンツ情報（主として映像及び音声情報から構成）をコンテンツデータベース７４から選択し、当該選択したコンテンツ情報をコンテンツ配信部７３に出力する。
【０１３８】
なお、コンテンツデータベース７４に格納されるコンテンツ情報は、当該展示拠点で展示される展示物の広告情報や、当該ショールームの展示拠点におけるスタンプ獲得状況を示す情報である。また、当該コンテンツ情報は、例えば年代（例えば、18才未満、18-49歳、50歳以上）別、性別、言語（例えば、日本語、英語、中国語、韓国語）別毎に複数種類ある。
【０１３９】
コンテンツ配信部７３は、各展示拠点に設置されたディスプレイ及びスピーカに対して有線（例えば、通信ケーブル）又は無線（例えば、Bluetooth等の近距離無線）を通じて上記コンテンツ情報を配信する。これにより、当該展示拠点において、例えば当該拠点の展示物に関する映像がディスプレイに表示され、当該拠点の展示物に関する音声がスピーカから出力される。これにより、コンテンツ情報が利用者に提示される。
【０１４０】
以上の構成において、当該スタンプ帖３の発行時（つまり、スタンプ帖３の配布時）に、当該スタンプ帖３に対して上述したように取り付けられたＲＦＩＤチップ３１には、例えばスタンプＲ／Ｗ設定機により、利用者の年代、性別、言語等の属性情報が書き込まれる。より具体的には、スタンプＲ／Ｗ設定機は通信ケーブルを介して受付スタッフにより使用される端末（ＰＣ）に接続されており、当該スタッフは、利用者の年代、性別、言語等の属性情報を目視、口頭、又は書面等で確認し、当該属性情報を端末のキーボードやマウス等から入力する。こうして入力された属性情報は、当該端末からスタンプＲ／Ｗ設定機に送信され、当該スタンプＲ／Ｗ設定機によりＲＦＩＤチップ３１に書き込まれることになる。こうして属性情報がＲＦＩＤチップ３１に書き込まれた後、当該ＲＦＩＤチップ３１が取り付けられたスタンプ帖３が利用者に手渡され、当該利用者は、ショールーム内を回遊し、各展示拠点に設置されたスタンプ装置１でスタンプ帖３にスタンプを押していくことになる。
【０１４１】
このように各展示拠点においてスタンプ帖３の印面にスタンプが押印される際に、スタンプ装置１は、スタンプ帖３のＲＦＩＤチップ３１を検知し、当該ＲＦＩＤチップ３１のメモリに書き込まれている獲得スタンプ情報及び上記属性情報等を、非接触通信により当該ＲＦＩＤチップ３１から読み取り、読み取った属性情報等と当該展示拠点の拠点データとを含む情報を有線又は無線によりコンテンツ配信制御装置７に送信する。
【０１４２】
コンテンツ配信制御装置７は、スタンプ装置１から送信され、通信部７１により受信された情報に含まれる属性情報に応じたコンテンツ情報（或いはＲＦＩＤチップ３１に書き込まれた拠点データに基づく獲得スタンプ情報に応じたコンテンツ情報）をコンテンツ選択部７２によりコンテンツデータベース７４から選択し、当該選択したコンテンツ情報を、コンテンツ配信部７３により当該展示拠点に設置されたディスプレイ等に出力する。
【０１４３】
ここで、年代に応じたコンテンツ情報の場合、例えば、その年代の人が興味があるものが例えば映像中に含まれる。例えば子供の年代の場合、展示物の説明が絵やひらがなで映像中に表示される。また、言語に応じたコンテンツの場合、展示物の説明がその言語で映像中に表示されたり、音声がその言語で出力される。また、獲得スタンプ情報に応じたコンテンツ情報の場合、例えば、まだ押されていないスタンプの場所を案内する情報が映像中に表示されたり、スタンプ獲得数に応じた組み合わせ商品を示す情報が映像中に表示される。
【０１４４】
図２０は、獲得スタンプ情報に応じたコンテンツ情報の表示例を示す図である。図２０の例では、ショールーム内の各展示拠点を示すマップが表示されており、さらに、各展示拠点でのスタンプ獲得有無を示すマーク（★）が表示されている。
【０１４５】
以上説明したように、上記第二実施形態によれば、利用者が展示拠点でスタンプをスタンプ帖３に押印する際に、スタンプ帖３のＲＦＩＤチップ３１に書き込まれている当該利用者の属性情報に応じたコンテンツ情報や、獲得スタンプ情報に応じたコンテンツ情報を当該利用者に提示することができる。
【０１４６】
（第三実施形態）
次に、第三実施形態では、スタンプシステムがスタンプラリーやショールーム以外に利用される場合について説明する。
【０１４７】
（スタンプカードとしての利用）
先ず、ＲＦＩＤチップとスタンプを押印可能な印面とを有する記録媒体として、スタンプカードを適用した場合の例について説明する。かかるスタンプカードは、例えば、商品を提供（販売又は貸与）する店舗や、サービスを提供する店舗によって発行される。
【０１４８】
図２１は、スタンプカードの外観図である。図２１に示すスタンプカード１０１上には、スタンプを押印するための複数の領域１０１ａが設けられており、各領域１０１ａにスタンプが押印可能になっている。また、スタンプカード１０１には、ＲＦＩＤチップ１０１ｂが埋め込まれており、かかるＲＦＩＤチップ１０１ｂには、利用者毎に固有のＵＩＤ、品目ＩＤ、会員番号等が初期設定で書き込まれている。
【０１４９】
また、この例で使用されるスタンプ装置は、上記店舗（拠点の一例）に設置され、上記第一実施形態と同様、設置される店舗を示す店舗データを記憶する記憶部と、スタンプカード１０１の印面（領域１０１a）に対してスタンプを押印するための印版部（例えばゴム印）と、スタンプが押印される際に、通信可能範囲内に入ったスタンプカード１０１のＲＦＩＤチップ１０１ｂを検知し、当該チップ１０１ｂに対して店舗データ等を非接触通信により送信する送信部（ＣＰＵ，ＲＦＩＤアンテナ，及びＲＦＩＤリーダライタ）と、を少なくとも備えている。
【０１５０】
そして、利用者は例えば商品購入時にスタンプカード１０１を店舗の店員に渡し、当該店員は清算後に店舗に設置された当該スタンプ装置を用いてスタンプカード１０１の領域１０１ａにスタンプを押す。こうして当該スタンプが押印される際に、スタンプ装置は、スタンプカード１０１のＲＦＩＤチップ１０１ｂに店舗データ及びタイムスタンプ等を有するスタンプ情報をＲＦＩＤチップ１０１ｂに送信して書き込ませる。こうして、スタンプカード１０１にスタンプが押印される度に、そのＲＦＩＤチップ１０１ｂ内にスタンプ情報が追加記憶されていき、一定数スタンプが集まった（スタンプ情報が書き込まれた）場合には、ＲＦＩＤチップ１０１ｂに書き込まれているスタンプ情報がＲ／Ｗにより読み込まれ、例えば上述したような抽選が行われる（抽選後、利用者はスタンプカード１０１を記念として持ち帰る）。
【０１５１】
なお、第一実施形態の応用例と同様、ＲＦＩＤチップ１０１ｂから読み取られた品目ＩＤと店舗側で管理されている品目ＩＤとが一致しているか否かを判別して、一致しない場合には、エラーとして上記スタンプ情報をＲＦＩＤチップ１０１ｂに書き込まないように構成しても良い。
【０１５２】
また、スタンプ押印時に書き込みログをスタンプ装置内にも保存させ、当該書き込みログがスタンプ装置から例えば通信機能やメモリカードを利用してインターネット上におけるサーバにアップロードさせるようにし、利用者が自信のＰＣから書き込みログを閲覧可能にすれば、当該利用者は利用情報をリアルタイムに把握することができる。
【０１５３】
（巡回記録としての利用）
次に、ＲＦＩＤチップとスタンプを押印可能な印面とを有する記録媒体として、巡回記録紙を適用した場合の例について説明する。かかる巡回記録紙は、警備員のビル巡回等に使用される。
【０１５４】
図２２は、巡回記録紙、及びＲ／Ｗを備えた巡回記録紙入れの外観図である。
【０１５５】
図２２に示す巡回記録紙１０２上には、スタンプを押印するための複数の領域１０２aが設けられており、各領域１０２ａにスタンプが押印可能になっている。また、巡回記録紙１０２には、ＲＦＩＤチップ１０２ｂが埋め込まれており、かかるＲＦＩＤチップ１０２ｂには、認証コード等が初期設定で書き込まれている。
【０１５６】
また、この例で使用されるスタンプ装置は、上記必ず巡回されなければならない巡回拠点に設置され、上記第一実施形態と同様、設置される巡回拠点を示す拠点データを記憶する記憶部と、巡回記録紙１０２の印面（領域１０２a）に対してスタンプを押印するための印版部（例えばゴム印）と、スタンプが押印される際に、通信可能範囲内に入った巡回記録紙１０２のＲＦＩＤチップ１０２ｂを検知し、当該チップ１０２ｂに対して拠点データ等を非接触通信により送信する送信部（ＣＰＵ，ＲＦＩＤアンテナ，及びＲＦＩＤリーダライタ）と、を少なくとも備えている。
【０１５７】
そして、警備員は巡回中、各巡回拠点（警備に係る巡回拠点）に設置された当該スタンプ装置を用いて巡回記録紙１０２の領域１０２ａに図２２に示すような各巡回拠点を表すスタンプを押す。こうして当該スタンプが押印される際に、スタンプ装置は、巡回記録紙１０２のＲＦＩＤチップ１０２ｂに拠点データ及びタイムスタンプ等を有するスタンプ情報１０２をＲＦＩＤチップ１０２ｂに送信して書き込ませる。これにより、警備員等は、巡回した拠点をスタンプ（目視）と書き込まれたスタンプ情報（巡回記録紙入れ１０２ｃに備えられたＲ／Ｗにより読み取られる）との両方で確認でき、巡回モレを防ぐことができる。
【０１５８】
なお、最終確認で巡回担当印を巡回記録紙１０２に押させることにより、誰が巡回確認したかの認証も行うことができる。また、認証コードを、時間毎に動的に変更できるようにし、同じロジックをＲＦＩＤチップ１０２ｂとスタンプ装置の両方に搭載した上で、印面も時刻に応じて変更できるようにすれば、まさにその時間にその巡回拠点に行ったことをスタンプと書き込まれたスタンプ情報との両方で証明することができる。
【０１５９】
（書類の承認記録としての利用）
次に、ＲＦＩＤチップとスタンプを押印可能な印面とを有する記録媒体として、書類の承認記録シールを適用した場合の例について説明する。かかる承認記録シールは、例えば会社内で使用される書類に貼り付けられ、ドキュメント管理にて利用される。なお、この例は、医療現場での記録にも利用可能である。
【０１６０】
図２３は、承認記録シールが貼り付けられた書類の外観図である。
【０１６１】
図２３に示す承認記録シール１０３上には、スタンプを押印するための複数の領域（枠印）１０３aが設けられており、各領域１０３ａにスタンプが押印可能になっている。また、承認記録シール１０３には、ＲＦＩＤチップ１０３ｂが貼り付けられている。
【０１６２】
また、この例で使用されるスタンプ装置は、社員（担当、及び上長（所属長））が居る場所（拠点の一例）に設置され、上記第一実施形態と同様、設置される場所を示す場所データ（又は担当、又は及び上長を示す人物データ）を記憶する記憶部と、承認記録シール１０３の印面（領域１０３ａ）に対してスタンプを押印するための印版部（例えばゴム印）と、スタンプが押印される際に、通信可能範囲内に入った承認記録シール１０３のＲＦＩＤチップ１０３ｂを検知し、当該チップ１０３ｂに対して場所データ等を非接触通信により送信する送信部（ＣＰＵ，ＲＦＩＤアンテナ，及びＲＦＩＤリーダライタ）と、を少なくとも備えている。
【０１６３】
そして、担当及び上長は、自己のスタンプ装置を用いて書類の承認記録シール１０３の領域１０３ａに自身のスタンプ（印鑑）を押す。こうして当該スタンプが押印される際に、スタンプ装置は、承認記録シール１０３のＲＦＩＤチップ１０３ｂに場所データ及びタイムスタンプ等を有するスタンプ情報をＲＦＩＤチップ１０３ｂに送信して書き込ませる。これにより、いつ誰が承認したかがスタンプ（目視）と書き込まれたスタンプ情報との両方で確認できる。なお、最終承認された書類をＲ／Ｗにかざすことにより、いつ誰が承認したかのＲＦＩＤチップ１０３ｂ内のスタンプ情報を簡単にシステムに登録することができる。
【図面の簡単な説明】
【０１６４】
【図１】スタンプラリーの流れを示す概念図である。
【図２】本実施形態に係るスタンプ装置１及びスタンプ台２の構成を説明するための断面図である。
【図３】スタンプ帖３の構成を説明するための図である。
【図４】スタンプ装置１の動作フローの一例を示す図である。
【図５】（Ａ）は、ＲＦＩＤチップ３１の初期設定情報の一例を示す図であり、（Ｂ）は、スタンプ装置１の初期設定情報の一例を示す図である。
【図６】（Ａ）は、ＲＦＩＤチップ３１内におけるデータ構造（メモリマップ）の一例を示す図であり、（Ｂ）は、スタンプ装置１内におけるデータ構造（利用ログファイル）の一例を示す図である。
【図７】スタンプ装置１におけるＣＰＵのＲＦＩＤチップ３１検知時の処理例を示すフローチャートである。
【図８】スタンプ帖３の印面に押印されたエラーマークの一例を示す図である。
【図９】印面にエラーマークを押印可能としたスタンプ装置の一例を示す図である。
【図１０】可動スタンプ部１９ｂの動きを説明するための図である。
【図１１】印面にスタンプが押印されないことを可能としたスタンプ装置の一例を示す図である。
【図１２】可動押印阻止部材１９ｄの動きを説明するための図である。
【図１３】実施例１におけるスタンプラリーの流れを示す概念図である。
【図１４】実施例２におけるスタンプラリーの流れを示す概念図である。
【図１５】抽選マシンの初期設定情報の一例を示す図である。
【図１６】抽選マシンにおけるデータ構造（利用ログファイル）の一例を示す図である。
【図１７】抽選マシンにおける処理例を示すフローチャートである。
【図１８】ＲＦＩＤチップ３１の持たせ方の例を示す図である。
【図１９】スタンプ装置１と通信するコンテンツ配信制御装置の概要構成例を示す図である。
【図２０】獲得スタンプ情報に応じたコンテンツ情報の表示例を示す図である。
【図２１】スタンプカードの外観図である。
【図２２】巡回記録紙、及びＲ／Ｗを備えた巡回記録紙入れの外観図である。
【図２３】承認記録シールが貼り付けられた書類の外観図である。
【符号の説明】
【０１６５】
１  スタンプ装置
２  スタンプ台
３  スタンプ帖
４  景品交換用Ｒ／Ｗ
５  ユーザ認証用Ｒ／Ｗ
６  処理端末
７  コンテンツ配信制御装置
１１  電源プラグ
１２  筐体グリップ部
１３  筐体スタンプ部
１４  化粧・認識用ＬＥＤ
１５  制御基板
１６  スピーカ（又はブザー）
１７  ＲＦＩＤアンテナ
１８  Ｒ／Ｗ通信スイッチ
１９  ゴム印
３１  ＲＦＩＤチップ   
【図１】
0005228738.tif 000003
【図２】
0005228738.tif 000004
【図３】
0005228738.tif 000005
【図４】
0005228738.tif 000006
【図５】
0005228738.tif 000007
【図６】
0005228738.tif 000008
【図７】
0005228738.tif 000009
【図８】
0005228738.tif 000010
【図９】
0005228738.tif 000011
【図１０】
0005228738.tif 000012
【図１１】
0005228738.tif 000013
【図１２】
0005228738.tif 000014
【図１３】
0005228738.tif 000015
【図１４】
0005228738.tif 000016
【図１５】
0005228738.tif 000017
【図１６】
0005228738.tif 000018
【図１７】
0005228738.tif 000019
【図１８】
0005228738.tif 000020
【図１９】
0005228738.tif 000021
【図２０】
0005228738.tif 000022
【図２１】
0005228738.tif 000023
【図２２】
0005228738.tif 000024
【図２３】
0005228738.tif 000025